(57)【特許請求の範囲】
【請求項１】
所定のアナログ信号をディジタル信号に変換する複数のＡ／Ｄ変換器を備え、それぞれのＡ／Ｄ変換器に対応させて変換後のディジタル信号と変換の対象となるＡ／Ｄ変換器の障害の有無を表わした信号とをそれぞれ出力する１対のＡ／Ｄ変換器側コネクタを備えたＡ／Ｄ変換器収納基板と、
このＡ／Ｄ変換器収納基板の前記Ａ／Ｄ変換器側コネクタにそれぞれ接続するコネクタ接続部と、このコネクタ接続部を介して入力される変換後のディジタル信号を処理する信号処理部と、予め定められた位置にそれぞれ間隔を置いて配置され前記Ａ／Ｄ変換器の障害時にデータの入出力を行うために用意された１対のデータ入出力用コネクタと、前記信号処理部と１対のデータ入出力用コネクタの間に配置され前記コネクタ接続部が前記１対のＡ／Ｄ変換器側コネクタのいずれに接続されたかによって前記１対のデータ入出力用コネクタの入力コネクタにする側と出力コネクタにする側を交互に入れ替えるコネクタ切替手段とを備えた互いに同一構成で前記Ａ／Ｄ変換器側コネクタの数だけ用意された信号処理用基板と、
前記１対のＡ／Ｄ変換器側コネクタにそれぞれ接続される信号処理用基板のそれぞれのデータ入出力用コネクタの間を並行となるように接続する１対のケーブル群
とを具備することを特徴とする信号処理装置。
【請求項２】
アンテナから入力されたアナログ受信信号をディジタル受信信号に変換する複数のＡ／Ｄ変換器を備え、それぞれのＡ／Ｄ変換器に対応させて変換後のディジタル受信信号と変換の対象となるＡ／Ｄ変換器の障害の有無を表わした信号とをそれぞれ出力する１対のＡ／Ｄ変換器側コネクタを備えたＡ／Ｄ変換器収納基板と、
このＡ／Ｄ変換器収納基板の前記Ａ／Ｄ変換器側コネクタにそれぞれ接続するコネクタ接続部と、このコネクタ接続部を介して入力される変換後のディジタル受信信号を処理する受信信号処理部と、予め定められた位置にそれぞれ間隔を置いて配置され前記Ａ／Ｄ変換器の障害時にデータの入出力を行うために用意された１対のデータ入出力用コネクタと、前記受信信号処理部と１対のデータ入出力用コネクタの間に配置され前記コネクタ接続部が前記１対のＡ／Ｄ変換器側コネクタのいずれに接続されたかによって前記１対のデータ入出力用コネクタの入力コネクタにする側と出力コネクタにする側を交互に入れ替えるコネクタ切替手段とを備えた互いに同一構成で前記Ａ／Ｄ変換器側コネクタの数だけ用意された受信信号処理用基板と、
前記１対のＡ／Ｄ変換器側コネクタにそれぞれ接続される受信信号処理用基板のそれぞれのデータ入出力用コネクタの間を並行となるように接続する１対のケーブル群
とを具備することを特徴とする信号処理装置。
【請求項３】
それぞれの前記コネクタ切替手段は、１対のデータ入出力用コネクタに１つずつ対応させた第１および第２の双方向バッファと、これら第１および第２の双方向バッファにおける所定の同一方向に信号を伝達させる合計２つのバッファ部分の一方にバッファとしての機能をオン・オフさせるための信号として他方と論理の反転した信号を入力させる論理回路と、１対のデータ入出力用コネクタの一方と他方で予め定めた互いに論理の反転した信号をこの論理回路に対して与える処理用基板別論理信号供給手段とを具備することを特徴とする請求項１または請求項２記載の信号処理装置。
【請求項４】
前記１対のデータ入出力用コネクタは、障害の発生したＡ／Ｄ変換器以外のＡ／Ｄ変換器から障害の発生したＡ／Ｄ変換器に変換後のディジタル信号を供給してその信号処理部で信号の処理を行わせるための信号を入出力させることを特徴とする請求項１記載の信号処理装置。
【請求項５】
前記１対のデータ入出力用コネクタは、障害の発生したＡ／Ｄ変換器以外のＡ／Ｄ変換器から障害の発生したＡ／Ｄ変換器に変換後のディジタル受信信号を供給してその受信信号処理部で信号の処理を行わせるための信号を入出力させることを特徴とする請求項２記載の信号処理装置。
【請求項６】
前記ケーブル群はフラットケーブルであり、１対のフラットケーブルが対をなした処理用基板の前記１対のデータ入出力用コネクタに互いに並行となるように接続されていることを特徴とする請求項１または請求項２記載の信号処理装置。
【発明の詳細な説明】
【０００１】
【発明の属する技術分野】
本発明は信号処理装置に係わり、たとえばベースバンド部を冗長構成とした無線基地局装置に好適に使用することのできる信号処理装置に関する。
【０００２】
【従来の技術】
無線基地局装置等の所定の信号処理装置では、同一の信号処理系を複数組備えることで障害の発生したときでも装置自体の機能が停止しないように配慮している。たとえば無線基地局装置を例にとると、ベースバンド信号の処理を行うベースバンド信号処理部も複数系統となっている。このような冗長的な構成にすることで処理系統の一部に故障が発生しても無線基地局装置自体が停止しないようにしている。また、ベースバンド信号処理部についてはこれら系統の異なるものを接続して互いに通信し合えるようにすることで、ベースバンド信号処理部全体の処理を均等化している。このような技術はたとえば特表平９−５０４６６２号公報や特開昭６２−１１２４３２号公報、特開平１０−６５５７９号公報等に開示がある。
【０００３】
図５は従来のベースバンド信号処理部の構成の一例を表わしたものである。ここではＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）方式による無線基地局装置の場合を示している。無線基地局装置１１は、複数の送受信アンテナ１２およびＲＦ（Ｒａｄｉｏ  Ｆｒｅｑｕｅｎｃｙ）部１３とからなる無線部１４と、ベースバンド信号処理部１５と、無線部１４から出力されるアナログ信号をディジタル信号に変換するＡ／Ｄ変換部１６を備えている。この無線基地局装置１１では、Ａ／Ｄ変換部１６として第１および第２のＡ／Ｄ変換器２１１、２１２という２系統の回路を備えている。ベースバンド信号処理部１５には第１〜第４の受信信号処理部２２１〜２２４が備えられている。
【０００４】
このうちの第１および第３の受信信号処理部２２１、２２３は第１のＡ／Ｄ変換器２１１から送出される信号の処理を行い、第２および第４の受信信号処理部２２２、２２４は第２のＡ／Ｄ変換器２１２から送出される信号の処理を行うようになっている。ただし、第１および第２のＡ／Ｄ変換器２１１、２１２のいずれか一方に何らかの障害が発生した場合にも、ベースバンド信号処理部全体の動作を可能な限り確保する必要がある。そこで、第１および第２の受信信号処理部２２１、２２２と、第３および第４の受信信号処理部２２３、２２４の間をフラットケーブル２５、２６で予め接続しておき、障害発生時には一方のＡ／Ｄ変換器２１１または２１２のみを使用して信号の処理ができるようにしている。
【０００５】
図６は、第１および第２のＡ／Ｄ変換器が共に正常な場合の受信信号処理部の接続状態を表わしたものである。図５に示した第１および第２のＡ／Ｄ変換器２１１、２１２は共に図示しない状態通知回路を内蔵しており、それぞれの回路が正常である場合にはノーマル信号を出力し、何らかの異常が発生している場合にはエラー信号を出力するようになっている。図６に示した正常な場合には第１のＡ／Ｄ変換器２１１は状態通知としてノーマル信号３１を第１の受信信号処理部２２１に出力する。この状態では第１のＡ／Ｄ変換器２１１から第１の受信信号処理部２２１にはＡ／Ｄ変換後の受信データ３２が送出されて処理される。同様に、第２のＡ／Ｄ変換器２１２は状態通知としてノーマル信号３３を第２の受信信号処理部２２２に出力する。この状態では第２のＡ／Ｄ変換器２１２から第２の受信信号処理部２２２にはＡ／Ｄ変換後の受信データ３４が送出されて処理される。
【０００６】
すなわち、第１の受信信号処理部２２１と第２の受信信号処理部２２２は、それぞれ別々のＡ／Ｄ変換器２１１、２１２から受信データ３２、３４の供給を受けているが、これらのＡ／Ｄ変換器２１１、２１２が正常なのでこれら別系統の受信信号処理部２２２、２２２同士で信号の授受３５、３６は行われない。
【０００７】
図７は、これに対して第１のＡ／Ｄ変換器の方に障害が発生した場合を示したものである。第１のＡ／Ｄ変換器２１１に障害が発生したので、受信データ３２は第１の受信信号処理部２２１へ送出されない。一方、第１のＡ／Ｄ変換器２１１から第１の受信信号処理部２２１へは状態通知としてエラー信号４１が出力されている。そこでこのエラー信号４１を受信した第１の受信信号処理部２２１は、正常な第２のＡ／Ｄ変換器２１２から第２の受信信号処理部２２２を経由した第１の受信信号処理部２２１用の受信信号４２を入力して処理することになる。破線で示した経路４３は、これとは逆に第２のＡ／Ｄ変換器２１２に障害が発生した場合における第１の受信信号処理部２２１から第２の受信信号処理部２２２へ経由する受信信号を表わしたものであり、この例の場合にはこの信号の出力はない。
【０００８】
図８は、従来のこのような無線基地局装置のベースバンド信号処理部の要部を表わしたものである。第１および第２のＡ／Ｄ変換器２１１、２１２等を組み込んだ基板５１の図示しないコネクタには、第１〜第４の受信信号処理部２２１〜２２４を備えた第１〜第４のプリント基板５２１〜５２４が差し込まれて固定されている。これら第１〜第４のプリント基板５２１〜５２４はそれぞれ全く同一の基板として作製されており、これらの他端部には１対のコネクタ５３、５４がそれぞれ配置されている。
【０００９】
第１のプリント基板５２１のコネクタ５３と第２のプリント基板５２２のコネクタ５４の間にはフラットケーブル２５１が接続され、第１のプリント基板５２１のコネクタ５４と第２のプリント基板５２２のコネクタ５３の間にはフラットケーブル２５２が接続されている。同様に第３のプリント基板５２３のコネクタ５３と第４のプリント基板５２４のコネクタ５４の間にはフラットケーブル２６１が接続され、第３のプリント基板５２３のコネクタ５４と第４のプリント基板５２４のコネクタ５３の間にはフラットケーブル２６２が接続されている。
【００１０】
このようにフラットケーブル２５１とフラットケーブル２５２がたすき掛けとなっており、同様にフラットケーブル２６１とフラットケーブル２６２がたすき掛けとなっている。このようにフラットケーブル２５１、２５２をたすき掛けとしているのは、第１〜第４のプリント基板５２１〜５２４を同一構造の基板として量産性を高めるためである。
【００１１】
図９は、第１のプリント基板の構成の概要を表わしたものである。ここでは第１のプリント基板５２１を示しているが、第２〜第４のプリント基板５２２〜５２４も全く同一の回路をしているので、これらの説明は省略する。第１のプリント基板５２１には受信信号処理部２２１が配置されている。受信信号処理部２２１は、図８に示したフラットケーブル２５１を用いて相手の基板としての第２のプリント基板５２２からデータ６１を受信する一方、フラットケーブル２５２を用いて相手の基板としての第２のプリント基板５２２にデータ６２を送信するようになっている。また、第１および第２のＡ／Ｄ変換器２１１、２１２等を組み込んだ基板５１（図８参照）からはＡ／Ｄ変換後の受信データ３２の他に状態通知としてノーマル信号３１あるいはエラー信号４１を受信するようになっている。
【００１２】
図１０は、一例として従来における第１のプリント基板と第２プリント基板の受信信号処理部における信号の入出力関係を表わしたものである。第１および第２のＡ／Ｄ変換器２１１、２１２が組み込まれた基板５１からＡ／Ｄ変換後の受信データ３２あるいは３４の他に、ノーマル信号３１あるいはエラー信号４１がそれぞれの受信信号処理部２２１、２２２に入力されるようになっている。
【００１３】
【発明が解決しようとする課題】
ところで以上説明した従来の無線基地局装置では、図８に示すようにフラットケーブル２５１、２５２をたすき掛けとしているので、コストダウンを図ることができるものの、多数のワイヤがクロスしているので、この部分で信号の干渉が生じるおそれがあるという問題があった。もちろん、受信信号処理部２２１〜２２４あるいはプリント基板５２１〜５２４のうち偶数番目と奇数番目を異なった回路構成とすることでこれらのフラットケーブル２５１、２５２をパラレルに配置することができる。しかしながらこのためには２種類の異なった回路あるいはプリント基板を用意する必要があり、コストダウンを図ることができないだけでなく、現場でのプリント基板の差し間違いのトラブルが発生する可能性がある。また、プリント基板の発注や保管等の管理の手間も増加するという問題がある。
【００１４】
なお、以上の説明では無線基地局装置を例に挙げて説明したが、一般にＡ／Ｄ変換器およびその変換後の信号を処理する信号処理用基板を二重化して処理する信号処理装置について同様の問題があった。
【００１５】
そこで本発明の目的は、Ａ／Ｄ変換器およびその変換後の信号を処理する信号処理用基板を二重化すると共にＡ／Ｄ変換後の１つに障害が発生した時に互いに同一構成の信号処理用基板の一方に正常なＡＤ変換器の出力を供給するようにしたときに、１対の信号処理用基板の間を通信する信号入出力用の伝送路をたすき掛けする必要のない信号処理装置を提供することにある。
【００１６】
【課題を解決するための手段】
請求項１記載の発明では、（イ）所定のアナログ信号をディジタル信号に変換する複数のＡ／Ｄ変換器を備え、それぞれのＡ／Ｄ変換器に対応させて変換後のディジタル信号と変換の対象となるＡ／Ｄ変換器の障害の有無を表わした信号とをそれぞれ出力する１対のＡ／Ｄ変換器側コネクタを備えたＡ／Ｄ変換器収納基板と、（ロ）このＡ／Ｄ変換器収納基板のＡ／Ｄ変換器側コネクタにそれぞれ接続するコネクタ接続部と、このコネクタ接続部を介して入力される変換後のディジタル信号を処理する信号処理部と、予め定められた位置にそれぞれ間隔を置いて配置されＡ／Ｄ変換器の障害時にデータの入出力を行うために用意された１対のデータ入出力用コネクタと、信号処理部と１対のデータ入出力用コネクタの間に配置されコネクタ接続部が１対のＡ／Ｄ変換器側コネクタのいずれに接続されたかによって１対のデータ入出力用コネクタの入力コネクタにする側と出力コネクタにする側を交互に入れ替えるコネクタ切替手段とを備えた互いに同一構成でＡ／Ｄ変換器側コネクタの数だけ用意された信号処理用基板と、（ハ）１対のＡ／Ｄ変換器側コネクタにそれぞれ接続される信号処理用基板のそれぞれのデータ入出力用コネクタの間を並行となるように接続する１対のケーブル群とを信号処理装置に具備させる。
【００１７】
すなわち請求項１記載の発明は、Ａ／Ｄ変換器収納基板に設けられた複数のＡ／Ｄ変換器側コネクタにそれぞれ信号処理用基板を接続するようにした信号処理装置に関するもので、これら信号処理用基板はＡ／Ｄ変換器の障害時にデータの入出力を行うために用意された１対のデータ入出力用コネクタを備えた同一構成の基板となっている。したがって、対になったこれらの信号処理用基板が、対応する２つのＡ／Ｄ変換器のいずれの障害発生時にも障害の発生していない方の信号処理用基板を経由してデータの入出力を可能とするためにはこれらの信号処理用基板の１対のデータ入出力用コネクタをたすき掛けするように接続するのが一般であるが、本発明では信号処理部と１対のデータ入出力用コネクタの間に、コネクタ接続部が１対のＡ／Ｄ変換器側コネクタのいずれに接続されたかによって１対のデータ入出力用コネクタの入力コネクタにする側と出力コネクタにする側を交互に入れ替えるコネクタ切替手段を配置することにした。これにより対になった一方の信号処理用基板と他方の信号処理用基板の１対のデータ入出力用コネクタの入力側と出力側を反対にすることができ、１対のケーブル群をデータ入出力用コネクタの間を並行となるように接続することができる。したがって、この部分でワイヤがクロスしなくなり、信号の干渉を防止することができる。
【００１８】
請求項２記載の発明では、（イ）アンテナから入力されたアナログ受信信号をディジタル受信信号に変換する複数のＡ／Ｄ変換器を備え、それぞれのＡ／Ｄ変換器に対応させて変換後のディジタル受信信号と変換の対象となるＡ／Ｄ変換器の障害の有無を表わした信号とをそれぞれ出力する１対のＡ／Ｄ変換器側コネクタを備えたＡ／Ｄ変換器収納基板と、（ロ）このＡ／Ｄ変換器収納基板のＡ／Ｄ変換器側コネクタにそれぞれ接続するコネクタ接続部と、このコネクタ接続部を介して入力される変換後のディジタル受信信号を処理する受信信号処理部と、予め定められた位置にそれぞれ間隔を置いて配置されＡ／Ｄ変換器の障害時にデータの入出力を行うために用意された１対のデータ入出力用コネクタと、受信信号処理部と１対のデータ入出力用コネクタの間に配置されコネクタ接続部が１対のＡ／Ｄ変換器側コネクタのいずれに接続されたかによって１対のデータ入出力用コネクタの入力コネクタにする側と出力コネクタにする側を交互に入れ替えるコネクタ切替手段とを備えた互いに同一構成でＡ／Ｄ変換器側コネクタの数だけ用意された受信信号処理用基板と、（ハ）１対のＡ／Ｄ変換器側コネクタにそれぞれ接続される受信信号処理用基板のそれぞれのデータ入出力用コネクタの間を並行となるように接続する１対のケーブル群とを信号処理装置に具備させる。
【００１９】
すなわち請求項２記載の発明では、アンテナから入力されたアナログ受信信号をディジタル受信信号に変換する複数のＡ／Ｄ変換器を備えたＡ／Ｄ変換器収納基板に設けられた複数のＡ／Ｄ変換器側コネクタにそれぞれ受信信号処理用基板を接続するようにした信号処理装置に関するもので、これら受信信号処理用基板はＡ／Ｄ変換器の障害時にデータの入出力を行うために用意された１対のデータ入出力用コネクタを備えた同一構成の基板となっている。したがって、対になったこれらの受信信号処理用基板が、対応する２つのＡ／Ｄ変換器のいずれの障害発生時にも障害の発生していない方の受信信号処理用基板を経由してデータの入出力を可能とするためにはこれらの受信信号処理用基板の１対のデータ入出力用コネクタをたすき掛けするように接続するのが一般であるが、本発明では信号処理部と１対のデータ入出力用コネクタの間に、コネクタ接続部が１対のＡ／Ｄ変換器側コネクタのいずれに接続されたかによって１対のデータ入出力用コネクタの入力コネクタにする側と出力コネクタにする側を交互に入れ替えるコネクタ切替手段を配置することにした。これにより対になった一方の受信信号処理用基板と他方の受信信号処理用基板の１対のデータ入出力用コネクタの入力側と出力側を反対にすることができ、１対のケーブル群をデータ入出力用コネクタの間を並行となるように接続することができる。したがって、この部分でワイヤがクロスしなくなり、信号の干渉を防止することができる。
【００２０】
請求項３記載の発明では、請求項１または請求項２記載の信号処理装置で、それぞれのコネクタ切替手段は、１対のデータ入出力用コネクタに１つずつ対応させた第１および第２の双方向バッファと、これら第１および第２の双方向バッファにおける所定の同一方向に信号を伝達させる合計２つのバッファ部分の一方にバッファとしての機能をオン・オフさせるための信号として他方と論理の反転した信号を入力させる論理回路と、１対のデータ入出力用コネクタの一方と他方で予め定めた互いに論理の反転した信号をこの論理回路に対して与える処理用基板別論理信号供給手段とを具備することを特徴としている。
【００２１】
すなわち請求項３記載の発明では、それぞれのコネクタ切替手段は、１対のデータ入出力用コネクタに１つずつ対応させた第１および第２の双方向バッファと、これら第１および第２の双方向バッファにおける所定の同一方向に信号を伝達させる合計２つのバッファ部分の一方にバッファとしての機能をオン・オフさせるための信号として他方と論理の反転した信号を入力させる論理回路を備えており、１対の信号処理用基板あるいは受信信号処理用基板のいずれかによって予め定めた互いに論理の反転した信号を対応する論理回路に加えることにしている。これにより、第１および第２の双方向バッファにおける所定の同一方向に信号を伝達させる合計２つのバッファ部分の一方と他方が、１対の信号処理用基板あるいは受信信号処理用基板のいずれかによってオンまたはオフとなり、入力側のコネクタと出力側のコネクタが信号処理用基板あるいは受信信号処理用基板ごとに逆になることになる。
【００２２】
請求項４記載の発明では、請求項１記載の信号処理装置で、１対のデータ入出力用コネクタは、障害の発生したＡ／Ｄ変換器以外のＡ／Ｄ変換器から障害の発生したＡ／Ｄ変換器に変換後のディジタル信号を供給してその信号処理部で信号の処理を行わせるための信号を入出力させることを特徴としている。
【００２３】
すなわち請求項４記載の発明では、障害が発生していないＡ／Ｄ変換器側を経由して障害が発生した側のＡ／Ｄ変換器の出力側に配置された信号処理用基板にデータが与えられることを示している。
【００２４】
請求項５記載の発明では、請求項２記載の信号処理装置で、１対のデータ入出力用コネクタは、障害の発生したＡ／Ｄ変換器以外のＡ／Ｄ変換器から障害の発生したＡ／Ｄ変換器に変換後のディジタル受信信号を供給してその受信信号処理部で信号の処理を行わせるための信号を入出力させることを特徴としている。
【００２５】
すなわち請求項５記載の発明では、障害が発生していないＡ／Ｄ変換器側を経由して障害が発生した側のＡ／Ｄ変換器の出力側に配置された受信信号処理用基板にデータが与えられることを示している。
【００２６】
請求項６記載の発明では、請求項１または請求項２記載の信号処理装置で、ケーブル群はフラットケーブルであり、１対のフラットケーブルが対をなした処理用基板の１対のデータ入出力用コネクタに互いに並行となるように接続されていることを特徴としている。
【００２７】
すなわち請求項６記載の発明では、１対の信号処理用基板あるいは受信信号処理用基板の間が１対の並行に配置されたフラットケーブルで接続されることを示している。このようなフラットケーブル以外のケーブル配線であってもよく、この場合にもケーブルがクロスする事態を回避することができる。
【００２８】
【発明の実施の形態】
【００２９】
【実施例】
以下実施例につき本発明を詳細に説明する。
【００３０】
図１は本発明の一実施例における信号処理装置としての無線基地局装置のベースバンド信号処理部を表わしたものである。この無線基地局装置のベースバンド信号処理部の基板１０１は、第１および第２のＡ／Ｄ変換器１０２１、１０２２等を組み込んでおり、図示しないコネクタには、第１〜第４の受信信号処理部１０３１〜１０３４を備えた第１〜第４のプリント基板１０４１〜１０４４が差し込まれて固定されている。これら第１〜第４のプリント基板１０４１〜１０４４は、それぞれ全く同一の基板として作製されており、これらの他端部には１対のコネクタ１０５、１０６がそれぞれ配置されている。
【００３１】
第１のプリント基板１０４１のコネクタ１０５と第２のプリント基板１０４２のコネクタ１０５の間にはフラットケーブル１０８１が接続され、第１のプリント基板１０４１のコネクタ１０６と第２のプリント基板１０４２のコネクタ１０６の間にはフラットケーブル１０８２が接続されている。同様に第３のプリント基板１０４３のコネクタ１０５と第４のプリント基板１０４４のコネクタ１０５の間にはフラットケーブル１０９１が接続され、第３のプリント基板１０４３のコネクタ１０６と第４のプリント基板１０４４のコネクタ１０６の間にはフラットケーブル１０９２が接続されている。
【００３２】
このように第１のプリント基板１０４１と第２のプリント基板１０４２の間の一対のフラットケーブル１０８１、１０８２は所定の間隔を置いて並行に配置されており、第３のプリント基板１０４３と第４のプリント基板１０４４の間の一対のフラットケーブル１０９１、１０９２も所定の間隔を置いて並行に配置されている。
【００３３】
図２は、図９に対応するもので本実施例の第１のプリント基板の構成の概要を表わしたものである。ここでは第１のプリント基板１０４１を示しているが、図１に示した第２〜第４のプリント基板１０４２〜１０４４も全く同一の回路をしているので、これらの説明は省略する。第１のプリント基板１０４１には受信信号処理部１０３１が配置されている。この受信信号処理部１０３１は図９に示した受信信号処理部２２１と同一の回路である。また、図１に示したベースバンド信号処理部の基板１０１は図４に示した基板５１と同一である。したがって、フラットケーブル１０８１を用いて相手の基板としての第２のプリント基板１０４２から受信するデータ１１２は図９におけるデータ６１と等しく、フラットケーブル１０８２を用いて相手の基板としての第２のプリント基板１０４２に送出するデータ１１３は図９におけるデータ６２と等しい。第１および第２のＡ／Ｄ変換器１０２１、１０２２等を組み込んだ基板１０１（図１参照）から送られてくる状態通知としてノーマル信号１１４あるいはエラー信号１１５は図９におけるノーマル信号３１あるいはエラー信号４１と等しい。
【００３４】
ただし、本実施例の第１のプリント基板１０４１の場合には、対となった相手方の第２のプリント基板１０４２の基板番号データ１１６を入力するようになっている。第２のプリント基板１０４２の場合には基板番号データ１１６として第１のプリント基板１０４１の番号データを入力する。また、第３のプリント基板１０４３の場合には基板番号データ１１６として第４のプリント基板１０４４の番号データを入力する。同様に第４のプリント基板１０４４の場合には基板番号データ１１６として第３のプリント基板１０４３の番号データを入力することになる。基板番号データ１１６は相手のプリント基板１０４の番号が偶数のとき“０”であり、奇数のときには“１”となっている。第１のプリント基板１０４１には第２のプリント基板１０４２から基板番号データ１１６が入力されるので、基板番号データ１１６は“０”となる。
【００３５】
なお、図１に示した第１のＡ／Ｄ変換器１０２１から受信信号処理部１０３１に対しては、ノーマル信号１１４あるいはエラー信号１１５の他にＡ／Ｄ変換後の受信データ１１８が入力されるようになっている。この図には示していない第２のＡ／Ｄ変換器１０２２から受信信号処理部１０３２に対しては、ノーマル信号１１４あるいはエラー信号１１５の他にＡ／Ｄ変換後の受信データが入力されることになる。
【００３６】
この第１のプリント基板１０４１は、データ１１２を入出力する第１の双方向バッファ１２１と、データ１１３を入出力する第２の双方向バッファ１２２を備えている。第１の双方向バッファ１２１は信号の伝達方向が互いに逆向きとなった２つのバッファ１２３、１２４を並列に接続している。第２の双方向バッファ１２２も、信号の伝達方向が互いに逆向きとなった２つのバッファ１２５、１２６を並列に接続している。第１の双方向バッファの一方のバッファ１２４はインバータ１２７を介して基板番号データ１１６を入力するようになっている。第２の双方向バッファの一方のバッファ１２６は基板番号データ１１６を直接入力するようになっている。
【００３７】
したがって、基板番号データ１１６として信号“０”を入力する第１のプリント基板１０４１の場合は、これを直接入力するバッファ１２６がディスエーブルとなっており、データ１１３を出力する状態にある。これに対してバッファ１２４の方はイネーブルとなっており、データ１１２が入出力される状態にある。
【００３８】
図３は、図１に示したベースバンド信号処理部の第１および第２のプリント基板とこれらを取り付けた基板の信号伝達関係を表わしたものである。基板１０１には第１および第２のＡ／Ｄ変換器１０２１、１０２２が組み込まれている。第１のＡ／Ｄ変換器１０２１は状態通知としてノーマル信号１１４あるいはエラー信号１１５を第１のプリント基板の受信信号処理部１０３１に供給するようになっている。同様に第２のＡ／Ｄ変換器１０２２は状態通知としてノーマル信号１１４あるいはエラー信号１１５を第２のプリント基板の受信信号処理部１０３２に供給するようになっている。
【００３９】
この図３に示した第１および第２のプリント基板１０４１、１０４２について、第１および第２のＡ／Ｄ変換器１０２１、１０２２が正常な場合の信号の伝達経路をまず説明する。この場合には第１のＡ／Ｄ変換器１０２１からＡ／Ｄ変換後の受信データ１１８の他にノーマル信号１１４が第１の受信信号処理部１０３１に入力されている。第２のＡ／Ｄ変換器１０２２からはＡ／Ｄ変換後の受信データ１１９の他にノーマル信号１１４が第２の受信信号処理部１０３２に入力されている。このような正常状態で第１の受信信号処理部１０３１は受信データ１１８を取り込んで検波等の処理を行う。第２の受信信号処理部１０３２も同様であり、入力された受信データ１１９を取り込んで検波等の処理を行うことになる。
【００４０】
次に第１のＡ／Ｄ変換器１０２１に障害が発生した場合を説明する。この場合には第１のＡ／Ｄ変換器１０２１から受信データ１１８は出力されなくなり、ノーマル信号１１４に代わってエラー信号１１５が第１の受信信号処理部１０３１に入力されることになる。障害の発生したこの状態で第１のプリント基板の第１の受信信号処理部１０３１は対となった第２のプリント基板１０４２から受信データを受けることになる。このとき図１に示したフラットケーブル１０８１を用いて第２のプリント基板１０４２からデータ１１２を受信する。このフラットケーブル１０８１と並行に設けられたフラットケーブル１０８２は第１の受信信号処理部１０３１から第２の受信信号処理部１０３２へ出力するデータ１１３の経路として使用される。したがって、フラットケーブル１０８１、１０８２間での信号の干渉が防止される。
【００４１】
次に第２のＡ／Ｄ変換器１０２２に障害が発生した場合を説明する。この場合には第２のＡ／Ｄ変換器１０２２から受信データ１１９は出力されなくなり、ノーマル信号１１４に代わってエラー信号１１５が第２の受信信号処理部１０３２に入力される。障害の発生したこの状態で第２のプリント基板の第２の受信信号処理部１０３２は対となった第１のプリント基板１０４１から受信データを受けることになる。このとき図１に示したフラットケーブル１０８２を用いて第１のプリント基板１０４２からデータ１１３を受信する。このフラットケーブル１０８２と並行に設けられたフラットケーブル１０８１は第２の受信信号処理部１０３２から第１の受信信号処理部１０３１へ出力するデータ１１２の経路として使用される。したがって、この場合にもフラットケーブル１０８１、１０８２間での信号の干渉が防止される。
【００４２】
以上説明した実施例ではバッファ１２４、１２６が信号“１”（ハイレベル）でイネーブルとなる素子として説明したが、信号“０”（ローレベル）でイネーブルとなる素子で構成されてもよいことは当然である。更にインバータ１２７をバッファ１２４側に接続したが、他方のバッファ１２６側に接続するようにしてもよい。また実施例ではＷ−ＣＤＭＡ方式による無線基地局装置を説明したが、無線以外の一般の信号処理装置に本発明を適用できることは当然である。更に実施例では第１〜第４の受信信号処理部１０３１〜１０３４がそれぞれのプリント基板１０４１〜１０４４を所定の基板に取り付ける場合を説明したが、受信信号処理部１０３はこれらの数に限定されないことは当然である。
【００４３】
図４は、一例として受信信号処理部が６個並行に配置された場合を示したものである。この変形例では第１〜第６の受信信号処理部１０３１〜１０３６を備えた第１〜第６のプリント基板１０４１〜１０４６が基板１０１Ａの図示しないコネクタに差し込まれて固定されている。これら第１〜第６のプリント基板１０４１〜１０４６は、それぞれ全く同一の基板として作製されており、これらの他端部には１対のコネクタ１０５、１０６がそれぞれ配置されている。図１に示した実施例に対して増設された第５および第６のプリント基板１０４５、１０４６のコネクタ１０５の間にはフラットケーブル１４１１が接続され、同じく第５および第６のプリント基板１０４５、１０４６のコネクタ１０６の間にはフラットケーブル１４１２が接続されている。基板１０１Ａには具体的な回路は示していないが第１〜第３のＡ／Ｄ変換器１０２１〜１０２３が組み込まれている。
【００４４】
このように、Ａ／Ｄ変換器１０２と受信信号処理部１０３（図２参照）を内蔵した互いに同一構成のプリント基板１０４が同様に増加していっても、本発明を同様に適用することができ、１対のコネクタ１０５、１０６の間に連結されるデータ入出力用のフラットケーブル１０８、１０９、１４１、……をクロスさせる必要が生じない。
【００４５】
【発明の効果】
以上説明したように請求項１、請求項３、請求項４および請求項６記載の発明によれば、信号処理部と１対のデータ入出力用コネクタの間に、コネクタ接続部が１対のＡ／Ｄ変換器側コネクタのいずれに接続されたかによって１対のデータ入出力用コネクタの入力コネクタにする側と出力コネクタにする側を交互に入れ替えるコネクタ切替手段を配置することにしたので、対になった一方の信号処理用基板と他方の信号処理用基板の１対のデータ入出力用コネクタの入力側と出力側を反対にすることができ、１対のケーブル群をデータ入出力用コネクタの間を並行となるように接続することができる。したがって、この部分でワイヤがクロスしなくなり、信号の干渉を防止することができるだけでなく、同一の信号処理用基板を使用して配線がクロスしない分だけ効率的な配線作業を行うことができる。
【００４６】
また請求項２、請求項３、請求項５および請求項６記載の発明によれば、対になった一方の処理用基板と他方の処理用基板の１対のデータ入出力用コネクタの入力側と出力側を反対にすることができ、１対のケーブル群をデータ入出力用コネクタの間を並行となるように接続することができる。したがって、この部分でワイヤがクロスしなくなり、信号の干渉を防止することができるだけでなく、同一の処理用基板を使用して配線がクロスしない分だけ効率的な配線作業を行うことができる。
【００４７】
【図面の簡単な説明】
【図１】本発明の一実施例における無線基地局装置のベースバンド信号処理部の要部を表わした斜視図である。
【図２】図９に対応するもので本実施例の第１のプリント基板の構成の概要を表わしたブロック図である。
【図３】図１に示したベースバンド信号処理部の第１および第２のプリント基板とこれらを取り付けた基板を示したブロック図である。
【図４】本発明の変形例で第１〜第６の受信信号処理部が配置された無線基地局装置のベースバンド信号処理部の要部を表わした斜視図である。
【図５】従来のベースバンド信号処理部の構成の一例を表わしたブロック図である。
【図６】第１および第２のＡ／Ｄ変換器が共に正常な場合の受信信号処理部の接続状態を表わした説明図である。
【図７】第１のＡ／Ｄ変換器の方に障害が発生した場合の受信信号処理部の接続状態を表わした説明図である。
【図８】従来の無線基地局装置のベースバンド信号処理部の要部を表わした斜視図である。
【図９】従来の第１のプリント基板の構成の概要を表わしたブロック図である。
【図１０】従来における第１のプリント基板と第２プリント基板とこれらを取り付けた基板を示したブロック図である。
【符号の説明】
１０１  ベースバンド信号処理部の基板
１０２  Ａ／Ｄ変換器
１０３  受信信号処理部
１０４  プリント基板
１０５、１０６  コネクタ
１０８、１０９、１４１  フラットケーブル
１１２、１１３  データ
１１４  ノーマル信号
１１５  エラー信号
１１６  基板番号データ
１１８  Ａ／Ｄ変換後の受信データ
１２１  第１の双方向バッファ
１２２  第２の双方向バッファ
１２４、１２６  バッファ
１２７  インバータ
【図１】
0003603753.tif 000002
【図２】
0003603753.tif 000003
【図３】
0003603753.tif 000004
【図４】
0003603753.tif 000005
【図５】
0003603753.tif 000006
【図６】
0003603753.tif 000007
【図７】
0003603753.tif 000008
【図８】
0003603753.tif 000009
【図９】
0003603753.tif 000010
【図１０】
0003603753.tif 000011